(57)【要約】【課題】持ち運びが便利で、且つ容易にゴミ（素材）の種類ごとに分別回収ができ、また、ゴミ（素材）をゴミ袋に投入した時点で、ゴミ（素材）の種類別に分別ができてしまうこと。さらに、回収したゴミ（素材）を簡単に排出することができ、ゴミ（素材）の種類別に何個も袋を持たなくてもよいこと。【解決手段】上下に貫通した筒状体５と、この筒状体５の内部に仕切部４にて区画分けされた４つの収容室６ａ、６ｂ、６ｃ、６ｄとで分別回収簡易袋本体１を構成する。各収容室６ａ、６ｂ、６ｃ、６ｄの下面を排出口３ａ、３ｂ、３ｃ、３ｄとし、各排出口３ａ、３ｂ、３ｃ、３ｄにはそれぞれヒモ１３ａ、１３ｂ、１３ｃ、１３ｄにより、該排出口３ａ、３ｂ、３ｃ、３ｄを閉塞、開放自在としている。【選択図】図１
2007210753.tif 000002
【特許請求の範囲】
【請求項１】
上下に貫通した筒状体（５）と、この筒状体（５）の内部を素材別に収容すると共に、上下に貫通し区画分けされている複数の収容室（６ａ）（６ｂ）（６ｃ）（６ｄ）とで柔軟性を有する分別回収簡易袋本体（１）を形成し、
前記分別回収簡易袋本体（１）の上面開口部を素材を投入する投入口（２）とし、
前記分別回収簡易袋本体（１）の各収容室（６ａ）（６ｂ）（６ｃ）（６ｄ）の下面開口部を該収容室（６ａ）（６ｂ）（６ｃ）（６ｄ）に収容している素材を排出する排出口（３ａ）（３ｂ）（３ｃ）（３ｄ）とし、
前記各排出口（３ａ）（３ｂ）（３ｃ）（３ｄ）に該排出口（３ａ）（３ｂ）（３ｃ）（３ｄ）を閉塞、開放自在とする閉塞開放手段を設けていることを特徴とする分別回収簡易袋。
【請求項２】
前記筒状体（５）を透明ないし半透明として、前記収容室（６ａ）（６ｂ）（６ｃ）（６ｄ）内の素材が視認可能としていることを特徴とする請求項１に記載の分別回収簡易袋。
【請求項３】
前記閉塞開放手段をヒモ（１３ａ）（１３ｂ）（１３ｃ）（１３ｄ）で構成していることを特徴とする請求項１に記載の分別回収簡易袋。
【請求項４】
前記筒状体（５）の表面には前記収容室（６ａ）（６ｂ）（６ｃ）（６ｄ）に収容する素材の名称を記していることを特徴とする請求項１〜請求項３のいずれかに記載の分別回収簡易袋。
【請求項５】
前記筒状体（５）の表面を前記収容室（６ａ）（６ｂ）（６ｃ）（６ｄ）ごとに色分けすると共に、該収容室（６ａ）（６ｂ）（６ｃ）（６ｄ）に収容する素材の名称を記し、前記ヒモ（１３ａ）（１３ｂ）（１３ｃ）（１３ｄ）の色を各収容室（６ａ）（６ｂ）（６ｃ）（６ｄ）の色と同色としていることを特徴とする請求項３に記載の分別回収簡易袋。
【請求項６】
前記分別回収簡易袋本体（１）は持ち運び可能な大きさとしていることを特徴とする請求項１〜請求項５のいずれかに記載の分別回収簡易袋。
【発明の詳細な説明】
【技術分野】
【０００１】
本発明は、ゴミなどの素材を種類別に分別して回収するための分別回収簡易袋に関するものである。
【背景技術】
【０００２】
今日、現代社会においては、我々は生活をする中で毎日のようにたくさんのゴミを出している。家庭から出るゴミも一人当たり年間ではトン単位となるぐらいのゴミを出すと言われている。また、家庭から出るゴミ以外に問題となっているのが産業廃棄物である。
例えば、建築現場からは毎日大量の建築廃材が発生しているが、建築廃材の分別回収が徹底されておらず、再利用率がまだまだ低いのが現状である。
【０００３】
そこで、大手ゼネコンを中心に、建築廃棄物のリサイクル推進に動き始めている。各企業で方法が異なるものの、よく行なわれているのが素材別に回収用のコンテナを用意して分別する方法や、ガラ袋に分類ごとの文字と絵が印刷してあるものを使ってゴミ袋として使用する方法などである。
しかしながら、素材別にコンテナが用意されていても、全く分別されておらず、コンテナ内には複数の種類の素材がごちゃ混ぜになって入っており、そのため、産業廃棄物として処理されているのが現状である。
【０００４】
また、実際の建築現場では、例えば一週間に一回一斉清掃が行なわれており、そのときに作業員一人一人に素材回収用の土嚢袋が渡されて、現場内のゴミを拾い集めることが行なわれている。そして、清掃が終わった時点で袋に入ったゴミを回収用のコンテナに素材別に入れていくのであるが、実際には１つのゴミ袋の中には複数の種類のゴミ（素材）がごちゃ混ぜに入っている。
そのため、ゴミ袋（土嚢袋）の上部の開口部分から素材ごとに取り出して素材別のコンテナに入れていくという作業が非常に煩雑となり、実際にはコンテナには複数種類の素材が入っている。
【０００５】
いろいろなゴミが入った中身を素材別に分別するには、ゴミ袋を回収用のコンテナの前で一度中身を全部出して、それから素材別のコンテナに捨てにいくといった作業をしなければならず、そのため、かかる作業は時間と手間が非常にかかり、作業員の中には仕分けが邪魔くさく、誰も見ていないとそのまま捨ててしまう人も中にはいて、素材別の分別回収が促進されないという問題があった。
【０００６】
また、ゴミの分別回収用としての分別ゴミ収納容器や、ゴミ箱としては、例えば、下記に示す特許文献１、２がある。
【０００７】
【特許文献１】特開２００２−２４０９０２号公報
【特許文献２】特開２００５−６００７３号公報
【０００８】
上記特許文献１では、ゴミ容器の投入口において、底なし筒型投入口を内部に突出させ、容器内部に収納筒を配置し、突出した筒外周に提げ穴付きゴミ収納袋が外周装着可能としたものであり、複数の投入口を設けることで、分別回収を容易にしたものである。
【０００９】
また、上記特許文献１では、ゴミ投入口を有するゴミ収納部を複数、備えたゴミ箱であり、ゴミ収納部にゴミを投入する際に、ゴミ収納部毎に予め決められた対象となるゴミの種類をゴミの投入者に知らせ、ゴミ収納部に正しい種類のゴミが投入されるように促すことができるようにしたものである。
【００１０】
しかしながら、上記特許文献１、２においては、ゴミ箱内に素材別にそれぞれ複数のゴミ袋を用意しておく必要があり、また、ゴミ（素材）を回収した後は、ゴミ箱からゴミ袋を取り出し、さらにゴミ袋を上下反対にしてゴミを排出する必要があり、ゴミの取り出し作業も煩雑である。
つまり、ゴミの回収用の袋は、原則として上部のみ開口していて、下部は閉塞されており、ゴミの投入は上部の開口部から投入し、回収したゴミを排出する場合には、袋を上下逆にして開口部を下にして該開口部から排出するものである。
【００１１】
さらに、ゴミの種類毎に投入して、投入口とは異なる箇所からゴミを排出するものとして、例えば、下記に示す特許文献３がある。
【００１２】
【特許文献３】特開平６−２４７５０５号公報
【００１３】
この特許文献３では、ゴミの分別を回収する回収車であり、車体枠上に荷箱が搭載された車輛において、荷箱は、その内部が前後方向に配設された仕切板により適数の収容室に分割され、各収容室の上部には投入口が形成されるとともに、各収容室の後端排出口が排出扉によりそれぞれ独立して開閉自在に構成され、荷箱の後端には反転投入装置が設けられている。そして、反転投入装置は、各収容室に対応して複数に区画されたゴミ容器が収容室の投入口に臨んで昇降・反転自在に構成されていて、ゴミの排出を行ないたい収容室の排出扉のみを開放することでゴミを分別排出するようにしたものである。
【００１４】
この特許文献３においては、上記特許文献１、２とは異なり、ゴミの投入口と排出口の２つが設けられているが、投入口から投入したゴミを収容室に移送させるのに大掛かりな反転投入装置が必要であり、構成が複雑で、大型化すると共に、装置全体のコストが非常に高いという問題を有している。
また、この特許文献３では、個人が所有したり、簡単に作業員が手でもってゴミ（素材）を分別回収するということができない。
【００１５】
ところで、一般の道路上や歩道上、また、海岸等でゴミを回収（収集）する場合などで、人が１つのゴミ袋を持ってゴミを回収する場合、落ちているゴミを片っ端から拾っていくと、結局最終的には分別の段階でゴミ袋からゴミを全部出してゴミごとに分別しなければならないという問題がある。
【００１６】
また、各自が、燃えるゴミ、ペットボトル、アルミ缶、スチール缶と予め拾うゴミの種類を決めておき、例えば、ある人がペットボトルのみを拾っていく場合、目の前に他のゴミ、例えばアルミ缶が落ちていても拾わなかった場合、他の人がそのアルミ缶を見過ごして拾わないかも知れず、結局、完全にゴミを拾うことができないということも有り得る。
また、一人が複数のゴミ（素材）の種類を回収しようとすると、ゴミ（素材）の種類毎に複数のゴミ袋を持つ必要があり、ゴミ（素材）の回収が煩雑となる。
【発明の開示】
【発明が解決しようとする課題】
【００１７】
本発明は上述の問題点に鑑みて提供したものであって、少なくとも以下の目的を持った分別回収簡易袋を提供するものである。
（１）今までにあるゴミ袋に工夫を凝らすことで、持ち運びが便利で、且つ容易にゴミ（素材）の種類ごとに分別回収ができること。
（２）ゴミ（素材）をゴミ袋に投入した時点で、ゴミ（素材）の種類別に分別ができてしまうこと。
（３）回収したゴミ（素材）を簡単に排出することができること。
（４）ゴミ（素材）の種類別に何個も袋を持たなくてもよいこと。
（５）ゴミ（素材）の袋への投入をする際に、ゴミ（素材）の種類に応じて間違いなく投入できるようにすること。
【課題を解決するための手段】
【００１８】
そこで、本発明の請求項１に記載の分別回収簡易袋では、上下に貫通した筒状体５と、この筒状体５の内部を素材別に収容すると共に、上下に貫通し区画分けされている複数の収容室６ａ、６ｂ、６ｃ、６ｄとで柔軟性を有する分別回収簡易袋本体１を形成し、
前記分別回収簡易袋本体１の上面開口部を素材を投入する投入口２とし、
前記分別回収簡易袋本体１の各収容室６ａ、６ｂ、６ｃ、６ｄの下面開口部を該収容室６ａ、６ｂ、６ｃ、６ｄに収容している素材を排出する排出口３ａ、３ｂ、３ｃ、３ｄとし、
前記各排出口３ａ、３ｂ、３ｃ、３ｄに該排出口３ａ、３ｂ、３ｃ、３ｄを閉塞、開放自在とする閉塞開放手段を設けていることを特徴としている。
【００１９】
請求項２に記載の分別回収簡易袋では、前記筒状体５を透明ないし半透明として、前記収容室６ａ、６ｂ、６ｃ、６ｄ内の素材が視認可能としていることを特徴としている。
【００２０】
請求項３に記載の分別回収簡易袋では、前記閉塞開放手段をヒモ１３ａ、１３ｂ、１３ｃ、１３ｄで構成していることを特徴としている。
【００２１】
請求項４に記載の分別回収簡易袋では、前記筒状体５の表面には前記収容室６ａ、６ｂ、６ｃ、６ｄに収容する素材の名称を記していることを特徴としている。
【００２２】
請求項５に記載の分別回収簡易袋では、前記筒状体５の表面を前記収容室６ａ、６ｂ、６ｃ、６ｄごとに色分けすると共に、該収容室６ａ、６ｂ、６ｃ、６ｄに収容する素材の名称を記し、前記ヒモ１３ａ、１３ｂ、１３ｃ、１３ｄの色を各収容室６ａ、６ｂ、６ｃ、６ｄの色と同色としていることを特徴としている。
【００２３】
請求項６に記載の分別回収簡易袋では、前記分別回収簡易袋本体１は持ち運び可能な大きさとしていることを特徴としている。
【発明の効果】
【００２４】
本発明の請求項１に記載の分別回収簡易袋によれば、分別回収簡易袋本体１の各収容室６ａ、６ｂ、６ｃ、６ｄに素材をそれぞれ個別に投入した段階で分別回収を行なうことができる。しかも、各収容室６ａ、６ｂ、６ｃ、６ｄの排出口３ａ、３ｂ、３ｃ、３ｄの閉塞開放手段を開放することで、上部から投入した素材を下部から簡単に排出することができ、また、素材をゴミとした場合には、素材別に予め用意してあるコンテナなどに順番に捨てる（回収）ことができる。また、分別回収簡易袋本体１に素材別に複数の収容室６ａ、６ｂ、６ｃ、６ｄを設けているので、回収する素材別に幾つも回収袋を持たなくても良く、回収の効率を上げることができる。
【００２５】
請求項２に記載の分別回収簡易袋によれば、前記筒状体５を透明ないし半透明として、前記収容室６ａ、６ｂ、６ｃ、６ｄ内の素材が視認可能としているので、素材別に複数の収容室６ａ、６ｂ、６ｃ、６ｄを設けていても、間違って他の収容室６ａ、６ｂ、６ｃ、６ｄに素材を投入するのを防止することができる。
【００２６】
請求項３に記載の分別回収簡易袋によれば、前記閉塞開放手段をヒモ１３ａ、１３ｂ、１３ｃ、１３ｄで構成しているので、簡単な構成にて排出口３ａ、３ｂ、３ｃ、３ｄの閉塞、開放を行なうことができ、しかも安価に構成することができる。
【００２７】
請求項４に記載の分別回収簡易袋によれば、前記筒状体５の表面には前記収容室６ａ、６ｂ、６ｃ、６ｄに収容する素材の名称を記しているので、素材別に複数の収容室６ａ、６ｂ、６ｃ、６ｄを設けていても、間違って他の収容室６ａ、６ｂ、６ｃ、６ｄに素材を投入するのを防止することができる。
【００２８】
請求項５に記載の分別回収簡易袋によれば、前記筒状体５の表面を前記収容室６ａ、６ｂ、６ｃ、６ｄごとに色分けすると共に、該収容室６ａ、６ｂ、６ｃ、６ｄに収容する素材の名称を記しているので、素材別に複数の収容室６ａ、６ｂ、６ｃ、６ｄを設けていても、間違って他の収容室６ａ、６ｂ、６ｃ、６ｄに素材を投入するのを防止することができる。しかも、前記ヒモ１３ａ、１３ｂ、１３ｃ、１３ｄの色を各収容室６ａ、６ｂ、６ｃ、６ｄの色と同色としているので、各収容室６ａ、６ｂ、６ｃ、６ｄから素材を排出してコンテナなどに入れる場合でも、間違って他の素材をコンテナに入れてしまうのを防止することができる。
【００２９】
請求項６に記載の分別回収簡易袋によれば、前記分別回収簡易袋本体１は持ち運び可能な大きさとしているので、分別回収簡易袋本体１の持ち運びが簡単であり、また、一人で容易に持って歩ける大きさなので、素材別の分別回収の効率を向上させることができる。
【発明を実施するための最良の形態】
【００３０】
以下、本発明の実施の形態を図面を参照して詳細に説明する。図１は本発明の分別回収簡易袋本体１の正面図を示し、図２は分別回収簡易袋本体１の平面図を、図３は分別回収簡易袋本体１の背面図を、図４は分別回収簡易袋本体１の左側面図をそれぞれ示している。また、図５は分別回収簡易袋本体１の底面図を示している。
【００３１】
この分別回収簡易袋本体１は、上下に貫通しており、上部の開口を部をゴミ（素材）を投入するための投入口２とし、また、従来のゴミ袋とは異なり、分別回収簡易袋本体１の下面には開口部を形成していて、該開口部を排出口３としている。
この分別回収簡易袋本体１の内部には、該内部を４つに区画するための仕切部４が設けられている。すなわち、外殻を構成している筒状の筒状体５の内周面に断面を略十字状にした仕切部４の４つの各端縁が上下方向に沿って一体に固着されている。
【００３２】
この筒状体５の内部に上下方向に沿って設けた仕切部４により、分別回収簡易袋本体１は、４つの収容室６ａ、６ｂ、６ｃ、６ｄが形成される。これらの４つの収容室６ａ、６ｂ、６ｃ、６ｄごとに異なるゴミ（素材）を収容するものである。
例えば、収容室６ａには鉄くずを、収容室６ｂには木くずを、収容室６ｃにはコンクリートを、収容室６ｄには石膏ボードをそれぞれゴミ（素材）に収容するようにしている。
【００３３】
分別回収簡易袋本体１の上部の投入口２もそれぞれ仕切部４により４つの投入口２ａ、２ｂ、２ｃ、２ｄが形成されることになり、また、下部の排出口３も仕切部４により４つの排出口３ａ、３ｂ、３ｃ、３ｄが形成されている。
分別回収簡易袋本体１の上部の投入口２の周縁部には筒状体５の上部周縁を折り返してヒモを通すための略チューブ状のヒモ通し部７を形成し、このヒモ通し部７の一部を切断して、ヒモ１０を通すようにしている。このヒモ１０を縛ることで、分別回収簡易袋本体１の楕円形の投入口２全体を閉じることができるようになっている。
【００３４】
また、図５に示すように、分別回収簡易袋本体１の下部の排出口３ａ、３ｂ、３ｃ、３ｄの周縁部にも上記ヒモ通し部７と同様なヒモ通し部１２ａ、１２ｂ、１２ｃ、１２ｄがそれぞれ形成されており、各ヒモ通し部１２ａ、１２ｂ、１２ｃ、１２ｄには、ヒモ１３ａ、１３ｂ、１３ｃ、１３ｄがそれぞれ装着されている。
これらのヒモ１３ａ、１３ｂ、１３ｃ、１３ｄを縛ってくくることで、排出口３ａ、３ｂ、３ｃ、３ｄをそれぞれ閉じることができ、各収容室６ａ、６ｂ、６ｃ、６ｄ内に投入されたゴミ（素材）が排出口３ａ、３ｂ、３ｃ、３ｄから落下しないようにしている。また、ヒモ１３ａ、１３ｂ、１３ｃ、１３ｄを解くことで、排出口３ａ、３ｂ、３ｃ、３ｄを開放（開口）でき、収容室６ａ、６ｂ、６ｃ、６ｄからのゴミ（素材）の排出を容易にすることができる。
【００３５】
上記ヒモ１３ａ、１３ｂ、１３ｃ、１３ｄにて分別回収簡易袋本体１の排出口３ａ、３ｂ、３ｃ、３ｄを閉塞、開放する閉塞開放手段を構成しており、このため、簡単な構成にて排出口３ａ、３ｂ、３ｃ、３ｄの閉塞、開放を行なうことができ、しかも、安価に閉塞開放手段を構成することができる。
【００３６】
上記のようにして構成されている分別回収簡易袋本体１の材料としては柔軟性を備えているものであり、、例えば、ポリプロピレンを用いているが、土嚢袋のような材料でも良く、また、ゴミ（素材）を投入した場合に、容易に破れないものであれば、どのような材料を用いても良い。
また、分別回収簡易袋本体１の大きさは、例えば、縦が６００ｍｍ、横が５００ｍｍ、幅が３００ｍｍとしている。図では分別回収簡易袋本体１の全体を膨らませた状態を示しており、分別回収簡易袋本体１を畳めば小さく、且つ軽いものである。
【００３７】
分別回収簡易袋本体１の大きさは上記の寸法にもちろん限られるものではなく、一般に市販されているゴミ袋の大きさなどに適宜設定でき、その大きさも複数の種類で形成するようにしておいても良い。
また、分別回収簡易袋本体１は図２に示すように、断面を略楕円形としているが、円形としても良く、断面形状は特に限定されるものではない。
【００３８】
分別回収簡易袋本体１の筒状体５を透明あるいは半透明としておくことで、最初に収容室６ａ、６ｂ、６ｃ、６ｄに投入したゴミ（素材）の種類が外部から判別でき、後は同じゴミ（素材）を続けて収容室６ａ、６ｂ、６ｃ、６ｄに投入していけば良いので、異なる種類のゴミ（素材）が収容室６ａ、６ｂ、６ｃ、６ｄに投入されるのを容易に防止でき、同じ種類のゴミ（素材）ごとに分別回収を容易にすることができる。つまり、収容室６ａ、６ｂ、６ｃ、６ｄ内のゴミ（素材）の種類を視認できるので、間違って異なるゴミ（素材）を投入するのを防止することができる。
【００３９】
本発明では、回収するゴミ（素材）に応じて色分けを施しており、また、その色分けした部分にゴミ（素材）の名称も記している。例えば、図２に示すように、収容室６ａは茶色とし、その筒状体５の外面には「鉄くず」と記し、収容室６ｂは黄色とし、筒状体５の外面には「木くず」と記している。
また、収容室６ｃは灰色とし、その筒状体５の外面には「コンクリート」と記し、収容室６ｄは白色とし、その筒状体５の外面には「石膏ボード」と記して、どの収容室６ａ、６ｂ、６ｃ、６ｄにどのゴミ（素材）を投入するかを一目瞭然にして異なる種類のゴミ（素材）の収容室６ａ、６ｂ、６ｃ、６ｄへの投入を防止している。
【００４０】
なお、分別回収簡易袋本体１の収容室６ａ、６ｂ、６ｃ、６ｄ毎に特に色分けをせずに、収容するゴミ（素材）の名称のみを記すようにしても良い。かかる場合でも、収容室６ａ、６ｂ、６ｃ、６ｄに投入するゴミ（素材）の種類が判別でき、間違って他のゴミ（素材）を投入することを防止することができる。
【００４１】
さらに、各収容室６ａ、６ｂ、６ｃ、６ｄの下部の排出口３ａ、３ｂ、３ｃ、３ｄのヒモ１３ａ、１３ｂ、１３ｃ、１３ｄもそれぞれ色分けしておく方が好適例である。すなわち、収容室６ａの排出口３ａのヒモ１３ａの色は収容室６ａと同じ色の茶色とし、収容室６ｂの排出口３ｂのヒモ１３ｂの色は収容室６ｂと同じ色の黄色とする。
また、収容室６ｃの排出口３ｃのヒモ１３ｃの色は収容室６ｃと同じ色の灰色とし、収容室６ｄの排出口３ｄのヒモ１３ｄの色は収容室６ｄと同じ色の白色とする。これにより、収容室６ａ、６ｂ、６ｃ、６ｄの色と同じ色のヒモ１３ａ、１３ｂ、１３ｃ、１３ｄを解くことで、所望の収容室６ａ、６ｂ、６ｃ、６ｄに投入されているゴミ（素材）を排出することができる。
【００４２】
特に、分別回収簡易袋本体１から収容したゴミ（素材）を排出する場合、後述するように既にコンテナ内にゴミ（素材）が回収されていて、同じゴミ（素材）を排出する場合、分別回収簡易袋本体１の下部のヒモ１３ａ、１３ｂ、１３ｃ、１３ｄはくくってあるとヒモ１３ａ、１３ｂ、１３ｃ、１３ｄがひとかたまりとなっているので、どのヒモ１３ａ、１３ｂ、１３ｃ、１３ｄがどの収容室６ａ、６ｂ、６ｃ、６ｄの排出口３ａ、３ｂ、３ｃ、３ｄに対応しているのかが分かりにくい。
そこで、収容室６ａ、６ｂ、６ｃ、６ｄの色とヒモ１３ａ、１３ｂ、１３ｃ、１３ｄの色を同色としていることで、間違って他のゴミ（素材）をコンテナに排出することを防止することができる。
【００４３】
次に、分別回収簡易袋本体１を用いてゴミ（素材）の回収から排出するまでの作用について説明する。先ず、分別回収簡易袋本体１の各排出口３ａ、３ｂ、３ｃ、３ｄのヒモ１３ａ、１３ｂ、１３ｃ、１３ｄを全てくくって各収容室６ａ、６ｂ、６ｃ、６ｄの下部を閉じておく。また、分別回収簡易袋本体１の投入口２のヒモ１０はくくらずに投入口２を開放しておく。
【００４４】
図６に示すように、分別回収簡易袋本体１の外面には、それぞれ回収するゴミ（素材）の種類と色分けにより、どの収容室６ａ、６ｂ、６ｃ、６ｄにどのゴミ（素材）を投入するかは一目瞭然である、各収容室６ａ、６ｂ、６ｃ、６ｄにゴミ（素材）を投入していく。図６では、収容室６ａに鉄くずを、収容室６ｂには木くずをそれぞれ投入（回収）している状態を示している。
また、図７に示すように、収容室６ｃにはコンクリートを、収容室６ｄには石膏ボードをそれぞれ投入（回収）している状態を示している。
【００４５】
次に、分別回収簡易袋本体１に回収したゴミ（素材）の排出について説明する。図８に示すように、木くず専用のコンテナ２１、鉄くず専用のコンテナ２２等が予め設けられており、木くず専用のコンテナ２１の上方に分別回収簡易袋本体１を持ち運び、木くずが投入されている収容室６ｂの排出口３ｂのヒモ１３ｂを解くと、排出口３ｂが開いて、木くずは自重によりそのままコンテナ２１内に落下する。
また、鉄くずは、鉄くずが投入されている収容室６ａの排出口３ａのヒモ１３ａを解くと上記と同様に鉄くず専用のコンテナ２２内に落下し、鉄くずだけを他の種類のゴミ（素材）と混ざらずに個別に回収することができる。
【００４６】
なお、図示していないが、コンクリート、石膏ボードも同様に専用のコンテナが設けられていて、収容室６ｃ、６ｄの排出口３ｃ、３ｄのヒモ１３ｃ、１３ｄをそれぞれ解くことで、専用のコンテナにコンクリート、石膏ボードをそれぞれ個別に回収することができる。
【００４７】
このように本実施形態では、区画分けした分別回収簡易袋本体１の収容室６ａ、６ｂ、６ｃ、６ｄにそれぞれ回収した（拾った）ゴミ（素材）を投入した時点で、ゴミ（素材）の分別回収ができ、分別回収簡易袋本体１内で複数のゴミ（素材）がごちゃ混ぜに混じり合うことはない。
また、分別回収されたゴミ（素材）は、分別回収簡易袋本体１の各収容室６ａ、６ｂ、６ｃ、６ｄのヒモ１３ａ、１３ｂ、１３ｃ、１３ｄをそれぞれ解くだけで、排出口３ａ、３ｂ、３ｃ、３ｄがそれぞれ開放されて、ゴミ（素材）の自重により簡単に排出することができる。また、その分別回収されたゴミ（素材）を素材別のコンテナ２１、２１・・・に順番に捨てる（回収）することができる。
【００４８】
また、１つの分別回収簡易袋本体１に複数の収容室６ａ、６ｂ、６ｃ、６ｄを設けているので、複数のゴミ（素材）を同時に回収でき、素材別に回収用の袋を持たなくても良く、回収の効率を向上させることができる。
さらに、素材別の収容室６ａ、６ｂ、６ｃ、６ｄごとに文字入りと色分けしているので、分別回収簡易袋本体１に分別してゴミ（素材）を間違いなく投入し易いものである。特に、ゴミ（素材）を排出する場合に収容室６ａ、６ｂ、６ｃ、６ｄと同じ色をヒモ１３ａ、１３ｂ、１３ｃ、１３ｄに着色しているので、排出しようとするゴミ（素材）を間違って排出することもない。
【００４９】
また、一般に市販されているゴミ袋と同様な大きさとしているので、一人で容易に持って歩ける大きさなので、持ち運びが簡単である。更には、コンテナ２１、２２に排出したゴミ（素材）をリサイクルする場合はもちろん、コンテナ２１、２２内に回収したゴミ（素材）を産業廃棄物として処理する場合にも、ゴミ（素材）の回収と排出が容易に且つスムーズに出来るので、回収、排出に伴うコストの削減もできる。
【００５０】
なお、上記分別回収簡易袋本体１の収容室６ａ、６ｂ、６ｃ、６ｄを４つとしたが、区画分けを２つ、あるいは３つにしても良く、あるいは５つ以上に区画分けしても良い。
また、ゴミ（素材）の種類として上記実施形態では、鉄くず、木くず、コンクリート、石膏ボードとして説明したが、これらに限られないことは言うまでもない。また、着色した色も任意であり、どのような色を用いても良いのはもちろんである。
【００５１】
また、上記実施形態では建築現場での素材別の回収、排出の場合について説明したが、これらに限られるものではなく、一般家庭においても使用することができる。例えば、ゴミの収集場所に分別回収箱が設置されている場合、家庭から出るゴミとして、燃えるゴミ、燃えないゴミ、ビン、カンなどを分別回収簡易袋本体１に投入し、ゴミの収集場所でヒモ１３ａ、１３ｂ、１３ｃ、１３ｄを解くことで、ゴミ別に分別回収箱に簡単に捨てることができる。
【００５２】
なお、上記実施形態では、回収、排出をゴミとして説明したが、他の場合にも適用することができる。例えば、農作物を種類別に収穫する場合や、同種類の農作物を大きさ別に回収する場合など、分別して回収、排出することが容易となる。
【図面の簡単な説明】
【００５３】
【図１】本発明の実施の形態における分別回収簡易袋本体の正面図である。
【図２】本発明の実施の形態における分別回収簡易袋本体の平面図である。
【図３】本発明の実施の形態における分別回収簡易袋本体の背面図である。
【図４】本発明の実施の形態における分別回収簡易袋本体の左側面図である。
【図５】本発明の実施の形態における分別回収簡易袋本体の底面図である。
【図６】本発明の実施の形態における分別回収簡易袋本体にゴミ（素材）を回収する場合の説明図である。
【図７】本発明の実施の形態における分別回収簡易袋本体にゴミ（素材）を回収する場合の説明図である。
【図８】本発明の実施の形態における分別回収簡易袋本体にて回収したゴミ（素材）をコンテナに分別回収する場合の説明図である。
【符号の説明】
【００５４】
１  分別回収簡易袋本体
２  投入口
３ａ、３ｂ、３ｃ、３ｄ  排出口
４  仕切部
５  筒状体
６ａ、６ｂ、６ｃ、６ｄ  収容室
１３ａ、１３ｂ、１３ｃ、１３ｄ  ヒモ
【図１】
2007210753.tif 000003
【図２】
2007210753.tif 000004
【図３】
2007210753.tif 000005
【図４】
2007210753.tif 000006
【図５】
2007210753.tif 000007
【図６】
2007210753.tif 000008
【図７】
2007210753.tif 000009
【図８】
2007210753.tif 000010
【手続補正書】
【提出日】平成18年9月12日(2006.9.12)
【手続補正１】
【補正対象書類名】明細書
【補正対象項目名】０００９
【補正方法】変更
【補正の内容】
【０００９】
また、上記特許文献２では、ゴミ投入口を有するゴミ収納部を複数、備えたゴミ箱であり、ゴミ収納部にゴミを投入する際に、ゴミ収納部毎に予め決められた対象となるゴミの種類をゴミの投入者に知らせ、ゴミ収納部に正しい種類のゴミが投入されるように促すことができるようにしたものである。
【手続補正２】
【補正対象書類名】明細書
【補正対象項目名】００３１
【補正方法】変更
【補正の内容】
【００３１】
この分別回収簡易袋本体１は、上下に貫通しており、上部の開口部をゴミ（素材）を投入するための投入口２とし、また、従来のゴミ袋とは異なり、分別回収簡易袋本体１の下面には開口部を形成していて、該開口部を排出口３としている。
この分別回収簡易袋本体１の内部には、該内部を４つに区画するための仕切部４が設けられている。すなわち、外殻を構成している筒状の筒状体５の内周面に断面を略十字状にした仕切部４の４つの各端縁が上下方向に沿って一体に固着されている。
【手続補正３】
【補正対象書類名】明細書
【補正対象項目名】００３２
【補正方法】変更
【補正の内容】
【００３２】
この筒状体５の内部に上下方向に沿って設けた仕切部４により、分別回収簡易袋本体１は、４つの収容室６ａ、６ｂ、６ｃ、６ｄが形成される。これらの４つの収容室６ａ、６ｂ、６ｃ、６ｄごとに異なるゴミ（素材）を収容するものである。
例えば、収容室６ａには鉄くずを、収容室６ｂには木くずを、収容室６ｃにはコンクリートを、収容室６ｄには石膏ボードをそれぞれゴミ（素材）別に収容するようにしている。
【手続補正書】
【提出日】平成18年12月4日(2006.12.4)
【手続補正１】
【補正対象書類名】特許請求の範囲
【補正対象項目名】全文
【補正方法】変更
【補正の内容】
【特許請求の範囲】
【請求項１】
上下に貫通した筒状体（５）と、この筒状体（５）の内部を素材別に収容すると共に、上下に貫通し区画分けされている複数の収容室（６ａ）（６ｂ）（６ｃ）（６ｄ）とで柔軟性を有する分別回収簡易袋本体（１）を形成し、
前記分別回収簡易袋本体（１）の上面開口部を素材を投入する投入口（２）とし、
前記分別回収簡易袋本体（１）の各収容室（６ａ）（６ｂ）（６ｃ）（６ｄ）の下面開口部を該収容室（６ａ）（６ｂ）（６ｃ）（６ｄ）に収容している素材を排出する排出口（３ａ）（３ｂ）（３ｃ）（３ｄ）とし、
前記各排出口（３ａ）（３ｂ）（３ｃ）（３ｄ）に該排出口（３ａ）（３ｂ）（３ｃ）（３ｄ）を閉塞、開放自在とするヒモ（１３ａ）（１３ｂ）（１３ｃ）（１３ｄ）を設け、
前記筒状体（５）の表面を前記収容室（６ａ）（６ｂ）（６ｃ）（６ｄ）ごとに色分けすると共に、該収容室（６ａ）（６ｂ）（６ｃ）（６ｄ）に収容する素材の名称を記し、前記ヒモ（１３ａ）（１３ｂ）（１３ｃ）（１３ｄ）の色を各収容室（６ａ）（６ｂ）（６ｃ）（６ｄ）の色と同色としていることを特徴とする分別回収簡易袋。
【請求項２】
前記分別回収簡易袋本体（１）は持ち運び可能な大きさとしていることを特徴とする請求項１に記載の分別回収簡易袋。
【手続補正２】
【補正対象書類名】明細書
【補正対象項目名】全文
【補正方法】変更
【補正の内容】
【発明の詳細な説明】
【技術分野】
【０００１】
本発明は、ゴミなどの素材を種類別に分別して回収するための分別回収簡易袋に関するものである。
【背景技術】
【０００２】
今日、現代社会においては、我々は生活をする中で毎日のようにたくさんのゴミを出している。家庭から出るゴミも一人当たり年間ではトン単位となるぐらいのゴミを出すと言われている。また、家庭から出るゴミ以外に問題となっているのが産業廃棄物である。
例えば、建築現場からは毎日大量の建築廃材が発生しているが、建築廃材の分別回収が徹底されておらず、再利用率がまだまだ低いのが現状である。
【０００３】
そこで、大手ゼネコンを中心に、建築廃棄物のリサイクル推進に動き始めている。各企業で方法が異なるものの、よく行なわれているのが素材別に回収用のコンテナを用意して分別する方法や、ガラ袋に分類ごとの文字と絵が印刷してあるものを使ってゴミ袋として使用する方法などである。
しかしながら、素材別にコンテナが用意されていても、全く分別されておらず、コンテナ内には複数の種類の素材がごちゃ混ぜになって入っており、そのため、産業廃棄物として処理されているのが現状である。
【０００４】
また、実際の建築現場では、例えば一週間に一回一斉清掃が行なわれており、そのときに作業員一人一人に素材回収用の土嚢袋が渡されて、現場内のゴミを拾い集めることが行なわれている。そして、清掃が終わった時点で袋に入ったゴミを回収用のコンテナに素材別に入れていくのであるが、実際には１つのゴミ袋の中には複数の種類のゴミ（素材）がごちゃ混ぜに入っている。
そのため、ゴミ袋（土嚢袋）の上部の開口部分から素材ごとに取り出して素材別のコンテナに入れていくという作業が非常に煩雑となり、実際にはコンテナには複数種類の素材が入っている。
【０００５】
いろいろなゴミが入った中身を素材別に分別するには、ゴミ袋を回収用のコンテナの前で一度中身を全部出して、それから素材別のコンテナに捨てにいくといった作業をしなければならず、そのため、かかる作業は時間と手間が非常にかかり、作業員の中には仕分けが邪魔くさく、誰も見ていないとそのまま捨ててしまう人も中にはいて、素材別の分別回収が促進されないという問題があった。
【０００６】
また、ゴミの分別回収用としての分別ゴミ収納容器や、ゴミ箱としては、例えば、下記に示す特許文献１、２がある。
【０００７】
【特許文献１】特開２００２−２４０９０２号公報
【特許文献２】特開２００５−６００７３号公報
【０００８】
上記特許文献１では、ゴミ容器の投入口において、底なし筒型投入口を内部に突出させ、容器内部に収納筒を配置し、突出した筒外周に提げ穴付きゴミ収納袋が外周装着可能としたものであり、複数の投入口を設けることで、分別回収を容易にしたものである。
【０００９】
また、上記特許文献２では、ゴミ投入口を有するゴミ収納部を複数、備えたゴミ箱であり、ゴミ収納部にゴミを投入する際に、ゴミ収納部毎に予め決められた対象となるゴミの種類をゴミの投入者に知らせ、ゴミ収納部に正しい種類のゴミが投入されるように促すことができるようにしたものである。
【００１０】
しかしながら、上記特許文献１、２においては、ゴミ箱内に素材別にそれぞれ複数のゴミ袋を用意しておく必要があり、また、ゴミ（素材）を回収した後は、ゴミ箱からゴミ袋を取り出し、さらにゴミ袋を上下反対にしてゴミを排出する必要があり、ゴミの取り出し作業も煩雑である。
つまり、ゴミの回収用の袋は、原則として上部のみ開口していて、下部は閉塞されており、ゴミの投入は上部の開口部から投入し、回収したゴミを排出する場合には、袋を上下逆にして開口部を下にして該開口部から排出するものである。
【００１１】
さらに、ゴミの種類毎に投入して、投入口とは異なる箇所からゴミを排出するものとして、例えば、下記に示す特許文献３がある。
【００１２】
【特許文献３】特開平６−２４７５０５号公報
【００１３】
この特許文献３では、ゴミの分別を回収する回収車であり、車体枠上に荷箱が搭載された車輛において、荷箱は、その内部が前後方向に配設された仕切板により適数の収容室に分割され、各収容室の上部には投入口が形成されるとともに、各収容室の後端排出口が排出扉によりそれぞれ独立して開閉自在に構成され、荷箱の後端には反転投入装置が設けられている。そして、反転投入装置は、各収容室に対応して複数に区画されたゴミ容器が収容室の投入口に臨んで昇降・反転自在に構成されていて、ゴミの排出を行ないたい収容室の排出扉のみを開放することでゴミを分別排出するようにしたものである。
【００１４】
この特許文献３においては、上記特許文献１、２とは異なり、ゴミの投入口と排出口の２つが設けられているが、投入口から投入したゴミを収容室に移送させるのに大掛かりな反転投入装置が必要であり、構成が複雑で、大型化すると共に、装置全体のコストが非常に高いという問題を有している。
また、この特許文献３では、個人が所有したり、簡単に作業員が手でもってゴミ（素材）を分別回収するということができない。
【００１５】
ところで、一般の道路上や歩道上、また、海岸等でゴミを回収（収集）する場合などで、人が１つのゴミ袋を持ってゴミを回収する場合、落ちているゴミを片っ端から拾っていくと、結局最終的には分別の段階でゴミ袋からゴミを全部出してゴミごとに分別しなければならないという問題がある。
【００１６】
また、各自が、燃えるゴミ、ペットボトル、アルミ缶、スチール缶と予め拾うゴミの種類を決めておき、例えば、ある人がペットボトルのみを拾っていく場合、目の前に他のゴミ、例えばアルミ缶が落ちていても拾わなかった場合、他の人がそのアルミ缶を見過ごして拾わないかも知れず、結局、完全にゴミを拾うことができないということも有り得る。
また、一人が複数のゴミ（素材）の種類を回収しようとすると、ゴミ（素材）の種類毎に複数のゴミ袋を持つ必要があり、ゴミ（素材）の回収が煩雑となる。
【発明の開示】
【発明が解決しようとする課題】
【００１７】
本発明は上述の問題点に鑑みて提供したものであって、少なくとも以下の目的を持った分別回収簡易袋を提供するものである。
（１）今までにあるゴミ袋に工夫を凝らすことで、持ち運びが便利で、且つ容易にゴミ（素材）の種類ごとに分別回収ができること。
（２）ゴミ（素材）をゴミ袋に投入した時点で、ゴミ（素材）の種類別に分別ができてしまうこと。
（３）回収したゴミ（素材）を簡単に排出することができること。
（４）ゴミ（素材）の種類別に何個も袋を持たなくてもよいこと。
（５）ゴミ（素材）の袋への投入をする際に、ゴミ（素材）の種類に応じて間違いなく投入できるようにすること。
【課題を解決するための手段】
【００１８】
そこで、本発明の請求項１に記載の分別回収簡易袋では、上下に貫通した筒状体５と、この筒状体５の内部を素材別に収容すると共に、上下に貫通し区画分けされている複数の収容室６ａ、６ｂ、６ｃ、６ｄとで柔軟性を有する分別回収簡易袋本体１を形成し、
前記分別回収簡易袋本体１の上面開口部を素材を投入する投入口２とし、
前記分別回収簡易袋本体１の各収容室６ａ、６ｂ、６ｃ、６ｄの下面開口部を該収容室６ａ、６ｂ、６ｃ、６ｄに収容している素材を排出する排出口３ａ、３ｂ、３ｃ、３ｄとし、
前記各排出口３ａ、３ｂ、３ｃ、３ｄに該排出口３ａ、３ｂ、３ｃ、３ｄを閉塞、開放自在とするヒモ１３ａ、１３ｂ、１３ｃ、１３ｄを設け、
前記筒状体５の表面を前記収容室６ａ、６ｂ、６ｃ、６ｄごとに色分けすると共に、該収容室６ａ、６ｂ、６ｃ、６ｄに収容する素材の名称を記し、前記ヒモ１３ａ、１３ｂ、１３ｃ、１３ｄの色を各収容室６ａ、６ｂ、６ｃ、６ｄの色と同色としていることを特徴としている。
閉塞開放手段を設けていることを特徴としている。
【００１９】
【００２０】
【００２１】
【００２２】
【００２３】
請求項２に記載の分別回収簡易袋では、前記分別回収簡易袋本体１は持ち運び可能な大きさとしていることを特徴としている。
【発明の効果】
【００２４】
本発明の請求項１に記載の分別回収簡易袋によれば、分別回収簡易袋本体１の各収容室６ａ、６ｂ、６ｃ、６ｄに素材をそれぞれ個別に投入した段階で分別回収を行なうことができる。しかも、各収容室６ａ、６ｂ、６ｃ、６ｄの排出口３ａ、３ｂ、３ｃ、３ｄを開放することで、上部から投入した素材を下部から簡単に排出することができ、また、素材をゴミとした場合には、素材別に予め用意してあるコンテナなどに順番に捨てる（回収）ことができる。また、分別回収簡易袋本体１に素材別に複数の収容室６ａ、６ｂ、６ｃ、６ｄを設けているので、回収する素材別に幾つも回収袋を持たなくても良く、回収の効率を上げることができる。
また、筒状体５の表面を前記収容室６ａ、６ｂ、６ｃ、６ｄごとに色分けすると共に、該収容室６ａ、６ｂ、６ｃ、６ｄに収容する素材の名称を記しているので、素材別に複数の収容室６ａ、６ｂ、６ｃ、６ｄを設けていても、間違って他の収容室６ａ、６ｂ、６ｃ、６ｄに素材を投入するのを防止することができる。しかも、前記ヒモ１３ａ、１３ｂ、１３ｃ、１３ｄの色を各収容室６ａ、６ｂ、６ｃ、６ｄの色と同色としているので、各収容室６ａ、６ｂ、６ｃ、６ｄから素材を排出してコンテナなどに入れる場合でも、間違って他の素材をコンテナに入れてしまうのを防止することができる。
特に、分別回収簡易袋本体１から収容したゴミ（素材）を排出する場合、既にコンテナ内にゴミ（素材）が回収されていて、同じゴミ（素材）を排出する場合、分別回収簡易袋本体１の下部のヒモ１３ａ、１３ｂ、１３ｃ、１３ｄはくくってあるとヒモ１３ａ、１３ｂ、１３ｃ、１３ｄがひとかたまりとなっているので、どのヒモ１３ａ、１３ｂ、１３ｃ、１３ｄがどの収容室６ａ、６ｂ、６ｃ、６ｄの排出口３ａ、３ｂ、３ｃ、３ｄに対応しているのかが分かりにくい。
そこで、収容室６ａ、６ｂ、６ｃ、６ｄの色とヒモ１３ａ、１３ｂ、１３ｃ、１３ｄの色を同色としていることで、間違って他のゴミ（素材）をコンテナに排出することを防止することができる。
【００２５】
【００２６】
【００２７】
【００２８】
【００２９】
請求項２に記載の分別回収簡易袋によれば、前記分別回収簡易袋本体１は持ち運び可能な大きさとしているので、分別回収簡易袋本体１の持ち運びが簡単であり、また、一人で容易に持って歩ける大きさなので、素材別の分別回収の効率を向上させることができる。
【発明を実施するための最良の形態】
【００３０】
以下、本発明の実施の形態を図面を参照して詳細に説明する。図１は本発明の分別回収簡易袋本体１の正面図を示し、図２は分別回収簡易袋本体１の平面図を、図３は分別回収簡易袋本体１の背面図を、図４は分別回収簡易袋本体１の左側面図をそれぞれ示している。また、図５は分別回収簡易袋本体１の底面図を示している。
【００３１】
この分別回収簡易袋本体１は、上下に貫通しており、上部の開口部をゴミ（素材）を投入するための投入口２とし、また、従来のゴミ袋とは異なり、分別回収簡易袋本体１の下面には開口部を形成していて、該開口部を排出口３としている。
この分別回収簡易袋本体１の内部には、該内部を４つに区画するための仕切部４が設けられている。すなわち、外殻を構成している筒状の筒状体５の内周面に断面を略十字状にした仕切部４の４つの各端縁が上下方向に沿って一体に固着されている。
【００３２】
この筒状体５の内部に上下方向に沿って設けた仕切部４により、分別回収簡易袋本体１は、４つの収容室６ａ、６ｂ、６ｃ、６ｄが形成される。これらの４つの収容室６ａ、６ｂ、６ｃ、６ｄごとに異なるゴミ（素材）を収容するものである。
例えば、収容室６ａには鉄くずを、収容室６ｂには木くずを、収容室６ｃにはコンクリートを、収容室６ｄには石膏ボードをそれぞれゴミ（素材）別に収容するようにしている。
【００３３】
分別回収簡易袋本体１の上部の投入口２もそれぞれ仕切部４により４つの投入口２ａ、２ｂ、２ｃ、２ｄが形成されることになり、また、下部の排出口３も仕切部４により４つの排出口３ａ、３ｂ、３ｃ、３ｄが形成されている。
分別回収簡易袋本体１の上部の投入口２の周縁部には筒状体５の上部周縁を折り返してヒモを通すための略チューブ状のヒモ通し部７を形成し、このヒモ通し部７の一部を切断して、ヒモ１０を通すようにしている。このヒモ１０を縛ることで、分別回収簡易袋本体１の楕円形の投入口２全体を閉じることができるようになっている。
【００３４】
また、図５に示すように、分別回収簡易袋本体１の下部の排出口３ａ、３ｂ、３ｃ、３ｄの周縁部にも上記ヒモ通し部７と同様なヒモ通し部１２ａ、１２ｂ、１２ｃ、１２ｄがそれぞれ形成されており、各ヒモ通し部１２ａ、１２ｂ、１２ｃ、１２ｄには、ヒモ１３ａ、１３ｂ、１３ｃ、１３ｄがそれぞれ装着されている。
これらのヒモ１３ａ、１３ｂ、１３ｃ、１３ｄを縛ってくくることで、排出口３ａ、３ｂ、３ｃ、３ｄをそれぞれ閉じることができ、各収容室６ａ、６ｂ、６ｃ、６ｄ内に投入されたゴミ（素材）が排出口３ａ、３ｂ、３ｃ、３ｄから落下しないようにしている。また、ヒモ１３ａ、１３ｂ、１３ｃ、１３ｄを解くことで、排出口３ａ、３ｂ、３ｃ、３ｄを開放（開口）でき、収容室６ａ、６ｂ、６ｃ、６ｄからのゴミ（素材）の排出を容易にすることができる。
【００３５】
上記ヒモ１３ａ、１３ｂ、１３ｃ、１３ｄにて分別回収簡易袋本体１の排出口３ａ、３ｂ、３ｃ、３ｄを閉塞、開放する閉塞開放手段を構成しており、このため、簡単な構成にて排出口３ａ、３ｂ、３ｃ、３ｄの閉塞、開放を行なうことができ、しかも、安価に閉塞開放手段を構成することができる。
【００３６】
上記のようにして構成されている分別回収簡易袋本体１の材料としては柔軟性を備えているものであり、、例えば、ポリプロピレンを用いているが、土嚢袋のような材料でも良く、また、ゴミ（素材）を投入した場合に、容易に破れないものであれば、どのような材料を用いても良い。
また、分別回収簡易袋本体１の大きさは、例えば、縦が６００ｍｍ、横が５００ｍｍ、幅が３００ｍｍとしている。図では分別回収簡易袋本体１の全体を膨らませた状態を示しており、分別回収簡易袋本体１を畳めば小さく、且つ軽いものである。
【００３７】
分別回収簡易袋本体１の大きさは上記の寸法にもちろん限られるものではなく、一般に市販されているゴミ袋の大きさなどに適宜設定でき、その大きさも複数の種類で形成するようにしておいても良い。
また、分別回収簡易袋本体１は図２に示すように、断面を略楕円形としているが、円形としても良く、断面形状は特に限定されるものではない。
【００３８】
分別回収簡易袋本体１の筒状体５を透明あるいは半透明としておくことで、最初に収容室６ａ、６ｂ、６ｃ、６ｄに投入したゴミ（素材）の種類が外部から判別でき、後は同じゴミ（素材）を続けて収容室６ａ、６ｂ、６ｃ、６ｄに投入していけば良いので、異なる種類のゴミ（素材）が収容室６ａ、６ｂ、６ｃ、６ｄに投入されるのを容易に防止でき、同じ種類のゴミ（素材）ごとに分別回収を容易にすることができる。つまり、収容室６ａ、６ｂ、６ｃ、６ｄ内のゴミ（素材）の種類を視認できるので、間違って異なるゴミ（素材）を投入するのを防止することができる。
【００３９】
本発明では、回収するゴミ（素材）に応じて色分けを施しており、また、その色分けした部分にゴミ（素材）の名称も記している。例えば、図２に示すように、収容室６ａは茶色とし、その筒状体５の外面には「鉄くず」と記し、収容室６ｂは黄色とし、筒状体５の外面には「木くず」と記している。
また、収容室６ｃは灰色とし、その筒状体５の外面には「コンクリート」と記し、収容室６ｄは白色とし、その筒状体５の外面には「石膏ボード」と記して、どの収容室６ａ、６ｂ、６ｃ、６ｄにどのゴミ（素材）を投入するかを一目瞭然にして異なる種類のゴミ（素材）の収容室６ａ、６ｂ、６ｃ、６ｄへの投入を防止している。
【００４０】
なお、分別回収簡易袋本体１の収容室６ａ、６ｂ、６ｃ、６ｄ毎に特に色分けをせずに、収容するゴミ（素材）の名称のみを記すようにしても良い。かかる場合でも、収容室６ａ、６ｂ、６ｃ、６ｄに投入するゴミ（素材）の種類が判別でき、間違って他のゴミ（素材）を投入することを防止することができる。
【００４１】
さらに、各収容室６ａ、６ｂ、６ｃ、６ｄの下部の排出口３ａ、３ｂ、３ｃ、３ｄのヒモ１３ａ、１３ｂ、１３ｃ、１３ｄもそれぞれ色分けしておく方が好適例である。すなわち、収容室６ａの排出口３ａのヒモ１３ａの色は収容室６ａと同じ色の茶色とし、収容室６ｂの排出口３ｂのヒモ１３ｂの色は収容室６ｂと同じ色の黄色とする。
また、収容室６ｃの排出口３ｃのヒモ１３ｃの色は収容室６ｃと同じ色の灰色とし、収容室６ｄの排出口３ｄのヒモ１３ｄの色は収容室６ｄと同じ色の白色とする。これにより、収容室６ａ、６ｂ、６ｃ、６ｄの色と同じ色のヒモ１３ａ、１３ｂ、１３ｃ、１３ｄを解くことで、所望の収容室６ａ、６ｂ、６ｃ、６ｄに投入されているゴミ（素材）を排出することができる。
【００４２】
特に、分別回収簡易袋本体１から収容したゴミ（素材）を排出する場合、後述するように既にコンテナ内にゴミ（素材）が回収されていて、同じゴミ（素材）を排出する場合、分別回収簡易袋本体１の下部のヒモ１３ａ、１３ｂ、１３ｃ、１３ｄはくくってあるとヒモ１３ａ、１３ｂ、１３ｃ、１３ｄがひとかたまりとなっているので、どのヒモ１３ａ、１３ｂ、１３ｃ、１３ｄがどの収容室６ａ、６ｂ、６ｃ、６ｄの排出口３ａ、３ｂ、３ｃ、３ｄに対応しているのかが分かりにくい。
そこで、収容室６ａ、６ｂ、６ｃ、６ｄの色とヒモ１３ａ、１３ｂ、１３ｃ、１３ｄの色を同色としていることで、間違って他のゴミ（素材）をコンテナに排出することを防止することができる。
【００４３】
次に、分別回収簡易袋本体１を用いてゴミ（素材）の回収から排出するまでの作用について説明する。先ず、分別回収簡易袋本体１の各排出口３ａ、３ｂ、３ｃ、３ｄのヒモ１３ａ、１３ｂ、１３ｃ、１３ｄを全てくくって各収容室６ａ、６ｂ、６ｃ、６ｄの下部を閉じておく。また、分別回収簡易袋本体１の投入口２のヒモ１０はくくらずに投入口２を開放しておく。
【００４４】
図６に示すように、分別回収簡易袋本体１の外面には、それぞれ回収するゴミ（素材）の種類と色分けにより、どの収容室６ａ、６ｂ、６ｃ、６ｄにどのゴミ（素材）を投入するかは一目瞭然である、各収容室６ａ、６ｂ、６ｃ、６ｄにゴミ（素材）を投入していく。図６では、収容室６ａに鉄くずを、収容室６ｂには木くずをそれぞれ投入（回収）している状態を示している。
また、図７に示すように、収容室６ｃにはコンクリートを、収容室６ｄには石膏ボードをそれぞれ投入（回収）している状態を示している。
【００４５】
次に、分別回収簡易袋本体１に回収したゴミ（素材）の排出について説明する。図８に示すように、木くず専用のコンテナ２１、鉄くず専用のコンテナ２２等が予め設けられており、木くず専用のコンテナ２１の上方に分別回収簡易袋本体１を持ち運び、木くずが投入されている収容室６ｂの排出口３ｂのヒモ１３ｂを解くと、排出口３ｂが開いて、木くずは自重によりそのままコンテナ２１内に落下する。
また、鉄くずは、鉄くずが投入されている収容室６ａの排出口３ａのヒモ１３ａを解くと上記と同様に鉄くず専用のコンテナ２２内に落下し、鉄くずだけを他の種類のゴミ（素材）と混ざらずに個別に回収することができる。
【００４６】
なお、図示していないが、コンクリート、石膏ボードも同様に専用のコンテナが設けられていて、収容室６ｃ、６ｄの排出口３ｃ、３ｄのヒモ１３ｃ、１３ｄをそれぞれ解くことで、専用のコンテナにコンクリート、石膏ボードをそれぞれ個別に回収することができる。
【００４７】
このように本実施形態では、区画分けした分別回収簡易袋本体１の収容室６ａ、６ｂ、６ｃ、６ｄにそれぞれ回収した（拾った）ゴミ（素材）を投入した時点で、ゴミ（素材）の分別回収ができ、分別回収簡易袋本体１内で複数のゴミ（素材）がごちゃ混ぜに混じり合うことはない。
また、分別回収されたゴミ（素材）は、分別回収簡易袋本体１の各収容室６ａ、６ｂ、６ｃ、６ｄのヒモ１３ａ、１３ｂ、１３ｃ、１３ｄをそれぞれ解くだけで、排出口３ａ、３ｂ、３ｃ、３ｄがそれぞれ開放されて、ゴミ（素材）の自重により簡単に排出することができる。また、その分別回収されたゴミ（素材）を素材別のコンテナ２１、２１・・・に順番に捨てる（回収）することができる。
【００４８】
また、１つの分別回収簡易袋本体１に複数の収容室６ａ、６ｂ、６ｃ、６ｄを設けているので、複数のゴミ（素材）を同時に回収でき、素材別に回収用の袋を持たなくても良く、回収の効率を向上させることができる。
さらに、素材別の収容室６ａ、６ｂ、６ｃ、６ｄごとに文字入りと色分けしているので、分別回収簡易袋本体１に分別してゴミ（素材）を間違いなく投入し易いものである。特に、ゴミ（素材）を排出する場合に収容室６ａ、６ｂ、６ｃ、６ｄと同じ色をヒモ１３ａ、１３ｂ、１３ｃ、１３ｄに着色しているので、排出しようとするゴミ（素材）を間違って排出することもない。
【００４９】
また、一般に市販されているゴミ袋と同様な大きさとしているので、一人で容易に持って歩ける大きさなので、持ち運びが簡単である。更には、コンテナ２１、２２に排出したゴミ（素材）をリサイクルする場合はもちろん、コンテナ２１、２２内に回収したゴミ（素材）を産業廃棄物として処理する場合にも、ゴミ（素材）の回収と排出が容易に且つスムーズに出来るので、回収、排出に伴うコストの削減もできる。
【００５０】
なお、上記分別回収簡易袋本体１の収容室６ａ、６ｂ、６ｃ、６ｄを４つとしたが、区画分けを２つ、あるいは３つにしても良く、あるいは５つ以上に区画分けしても良い。
また、ゴミ（素材）の種類として上記実施形態では、鉄くず、木くず、コンクリート、石膏ボードとして説明したが、これらに限られないことは言うまでもない。また、着色した色も任意であり、どのような色を用いても良いのはもちろんである。
【００５１】
また、上記実施形態では建築現場での素材別の回収、排出の場合について説明したが、これらに限られるものではなく、一般家庭においても使用することができる。例えば、ゴミの収集場所に分別回収箱が設置されている場合、家庭から出るゴミとして、燃えるゴミ、燃えないゴミ、ビン、カンなどを分別回収簡易袋本体１に投入し、ゴミの収集場所でヒモ１３ａ、１３ｂ、１３ｃ、１３ｄを解くことで、ゴミ別に分別回収箱に簡単に捨てることができる。
【００５２】
なお、上記実施形態では、回収、排出をゴミとして説明したが、他の場合にも適用することができる。例えば、農作物を種類別に収穫する場合や、同種類の農作物を大きさ別に回収する場合など、分別して回収、排出することが容易となる。
【図面の簡単な説明】
【００５３】
【図１】本発明の実施の形態における分別回収簡易袋本体の正面図である。
【図２】本発明の実施の形態における分別回収簡易袋本体の平面図である。
【図３】本発明の実施の形態における分別回収簡易袋本体の背面図である。
【図４】本発明の実施の形態における分別回収簡易袋本体の左側面図である。
【図５】本発明の実施の形態における分別回収簡易袋本体の底面図である。
【図６】本発明の実施の形態における分別回収簡易袋本体にゴミ（素材）を回収する場合の説明図である。
【図７】本発明の実施の形態における分別回収簡易袋本体にゴミ（素材）を回収する場合の説明図である。
【図８】本発明の実施の形態における分別回収簡易袋本体にて回収したゴミ（素材）をコンテナに分別回収する場合の説明図である。
【符号の説明】
【００５４】
１  分別回収簡易袋本体
２  投入口
３ａ、３ｂ、３ｃ、３ｄ  排出口
４  仕切部
５  筒状体
６ａ、６ｂ、６ｃ、６ｄ  収容室
１３ａ、１３ｂ、１３ｃ、１３ｄ  ヒモ